(57)【要約】【課題】  簡単な構造で、且つ容易にリレーの抜脱を行うことができ、しかもターミナルソケットの小型化（低背化）が図れるターミナルソケットを提供する。【解決手段】  リレーが装着されるソケット本体に回動可能に設けられ、リレーの抜脱時には、回動操作することによりリレーをソケット本体から抜脱するリリースレバー１１を備えたターミナルソケットであって、リリースレバー１１の両側部１１Ａ，１１Ａ内面には、リリースレバー１１の軸部１２（回動中心）から遠ざかる方向に沿って、リレーの抜脱時にリレー底面を押圧してリレーを押し上げる複数の押上げ部５０，５１が設けられており、押上げ部５０，５１は、リレーがソケット本体に装着された状態において、軸部１２から遠ざかるに従って、その高さ位置が順次低くなるように配置されている。【選択図】  図３
2006156177.tif 000002
【特許請求の範囲】
【請求項１】
リレーが装着されるソケット本体に回動可能に設けられ、リレーの抜脱時には、回動操作することによりリレーをソケット本体から抜脱するリリースレバーを備えたターミナルソケットであって、
前記リリースレバーの両側部のうちの少なくとも一方の側部内面には、リリースレバーの回動中心から遠ざかる方向に沿って、リレーの抜脱時にリレー底面を押圧してリレーを押し上げる複数の押上げ部が設けられており、
これら複数の押上げ部は、リレーがソケット本体に装着された状態において、リリースレバーの回動中心から遠ざかるに従って、その高さ位置が順次低くなるように配置されていることを特徴とするターミナルソケット。
【請求項２】
前記複数の押上げ部は、一体的に形成されている、請求項１記載のターミナルソケット。
【請求項３】
前記複数の押上げ部は、別個に形成されている、請求項１記載のターミナルソケット。
【発明の詳細な説明】
【技術分野】
【０００１】
本発明は、ソケット本体に装着されたリレーを、ソケット本体から抜脱するリリースレバーを備えたターミナルソケットに関する。
【背景技術】
【０００２】
従来より、制御盤内におけるリレーに対する結線作業を簡略化して誤配線を防止するために、ターミナルソケットが用いられている。このターミナルソケットは、リレー端子と配線とを接続する端子板を備えた本体と、リレーが装着されるリレー装着部を有するケースとから構成される。本体には、ケースの端子用貫通孔を貫通したリレー端子が挿入される端子用挿入孔と、ケースの配線用貫通孔を貫通した配線が挿入される配線用挿入孔とケースの工具用貫通孔を貫通した工具が挿入される工具用挿入孔とを含む配線結線部と、端子用挿入孔と配線用結線部との間を連通する端子板収納部とが、形成されている。
【０００３】
このようなターミナルソケットにおいては、保守点検作業を容易に行うためには、簡単な操作で、リレー装着部からリレーを抜脱する必要がある。
【０００４】
このため、従来のターミナルソケットには、リレー装着部からリレーを抜脱するためのリリースレバーが設けられている（たとえば、特許文献1参照）。図６は、従来のターミナルソケットのリリースレバーを説明するための図である。この図の例では、リリースレバー１０１は、正面略Ｌ字形を有する成形体であり、その角部両側面に回動軸１０２を同一軸心上に突設してある。さらに、前記リリースレバー１０１は、その水平部１０１ａに後述するリレーを円滑に押し上げる円弧面１０３を形成してある。さらに、垂直部１０１ｂの上端部には係止爪１０４を延在している。
【０００５】
そして、前記リリースレバー１０１の回動軸１０２を、ケース２００のスリットを介し、ベースの挿入溝の両側に形成した軸孔に嵌合することにより、リリースレバー１０１がベースに回動可能に支持される。特に、図６に示すように、リリースレバー１０１は後方のみならず、前方にも回動する。
【０００６】
前記ターミナルソケットからリレーを取り外す場合には、リリースレバー１０１を回動させることにより（図６）、その水平部１０１ａの円弧面１０３でリレーの底面を押し上げて浮き上がらせ、リレーを取り外せばよい。
【０００７】
しかし、この文献の例では、リレー装着部からリレーを完全に抜脱できない。すなわち、回動するリリースレバー１０１においてリレーの背面の上端部に当接する当接部の上端、及び、リレーの前面に当接する操作部の前端部が円弧状の軌跡を描くと、リレー装着部からリレーを抜脱する際にリレーに回転力が作用してリレー端子に変形を生じ易いとともに、リレー装着部に装着されたリレーの前面と操作部の前端部との間に間隙が形成されてリレーを完全に抜脱できないという問題がある。
【０００８】
この問題を解決するために、図７に示すターミナルソケットが提案されている。図７は、ケースのリレー装着部においてリリースレバーの支持側と反対に位置する壁部１５０の高さを高くしたものである。このような壁部１５０を設けることで、抜脱されるリレーの移動方向を規制することができる。この結果、リレーの抜脱が円滑に行われる。
【０００９】
【特許文献１】特開２００２−２９８７１５号公報（段落００２２、００２４、図１５）
【発明の開示】
【発明が解決しようとする課題】
【００１０】
しかし、図７の例では、ケースの高さが高くなるため、ソケットが大型化するという問題がある。
【００１１】
本発明は、かかる問題を解決するためになされたものであり、その目的は、簡単な構造で、リレーの抜脱を円滑に行うことができ、しかもターミナルソケットの小型化（低背化）が図れるターミナルソケットを提供することにある。
【課題を解決するための手段】
【００１２】
上記目的を達成するために、請求項１記載の発明は、リレーが装着されるソケット本体に回動可能に設けられ、リレーの抜脱時には、回動操作することによりリレーをソケット本体から抜脱するリリースレバーを備えたターミナルソケットであって、前記リリースレバーの両側部のうちの少なくとも一方の側部内面には、リリースレバーの回動中心から遠ざかる方向に沿って、リレーの抜脱時にリレー底面を押圧してリレーを押し上げる複数の押上げ部が設けられており、これら複数の押上げ部は、リレーがソケット本体に装着された状態において、リリースレバーの回動中心から遠ざかるに従って、その高さ位置が順次低くなるように配置されていることを特徴とする。
【００１３】
この構成によれば、リリースレバーが回動するに従って、複数の押上げ部が、順番にリレー底面に接し、リレーを押し上げていく。この結果、ソケット本体の壁部によってリレーの移動方向を規制することなく、リレーがソケット本体から容易に抜脱される。また、多段階でリレーを押し上げるので、１段階で押し上げる場合に比べて、リースレバーの操作力を軽減することができる。また、リリースレバー側部内面に押上げ部を設ければよいので、リリースレバーの構造は複雑にならない。さらに、ソケット本体に高い壁部を設けなくてもよいので、ターミナルソケットの小型化（低背化）を図ることができる。
【００１４】
また、請求項２記載の発明は、請求項１記載のターミナルソケットであって、前記複数の押上げ部は、一体的に形成されていることを特徴とする。
【００１５】
また、請求項３記載の発明は、請求項１記載のターミナルソケットであって、前記複数の押上げ部は、別個に形成されていることを特徴とする。
【発明の効果】
【００１６】
本発明によれば、リリースレバーが回動するに従って、リリースレバー側部内面に設けられた複数の押上げ部が、順番にリレー底面に接し、リレーを押し上げていく。この結果、ソケット本体の壁部によってリレーの移動方向を規制することなく、リレーがソケット本体から容易に抜脱される。また、このように多段階で押し上げる場合は、１段階で押し上げる場合に比べて、リリースレバーの操作力を軽減することが可能となる。また、リリースレバー側部内面に押上げ部を設ければよいので、リリースレバーの構造は複雑にならない。さらに、ソケット本体に高い壁部を設けなくてもよいので、ターミナルソケットの小型化（低背化）を図ることができる。
【発明を実施するための最良の形態】
【００１７】
以下に、本発明の実施の形態を、図１〜図５の図面を用いて説明する。図１は、本発明にかかるターミナルソケットの要部の外観図である。本発明に係るターミナルソケットは、上面にリレー載置部１４が形成されたケース１０と、このケース１０の内部に下面側から収納される図示しない本体と、ケース１０の側面に回動可能に設けられたリリースレバー１１と、によって構成される。
【００１８】
ケース１０は背面において開放した中空の筐体である。図２は、本発明のターミナルソケットを複数連結して使用する例を示す図である。図２に示すように、複数個の本発明のターミナルソケットは、支持レール（ＤＩＮレール）１８に着脱可能に装着して使用することができる。この図に示す例におけるターミナルソケットでは、ケースの１０前面の上側には出力端子用の結線用貫通部１５が形成されている。各結線用貫通部１５は同一の形状を呈している。また、この図に示すように、結線用貫通部１５は配線用貫通孔１５ａと工具用貫通孔１５ｂとによって構成されていてもよい。配線用貫通孔１５ａには、ケース１の上面に装着されたリレー３０（図５参照）の各出力端子３１（図５参照）に接続されるべき配線が貫通する。また、工具用貫通孔１５ｂには、配線を挟持する端子板のクランプバネを操作する工具が貫通する。
【００１９】
上記結線用貫通部１５はリレー３０における各極の出力端子３１に対応している。即ち、リレーには、１極ごとにノーマルクローズ（ＮＣ）、ノーマルオープン（ＮＯ）及びコモンの合計３本の出力端子３１が設けられている。したがって、４極型のリレーでは上下３本を１組として左右方向に４列の出力端子３１が設けられており、２極型のリレーでは上下３本を１組として左右方向に２列の出力端子３１が設けられている。この実施形態に係るリレーソケットは２極型のリレー３０を用いるものが示されている。
【００２０】
ケース１０の前面において結線用貫通部１５の下方には、リレー載置部１４が形成されている。このリレー載置部１４にリリースレバー１１を介してリレーが装着される。リレー載置部１４においてリレーの底面に対向する部分には、端子用貫通孔１６が形成されている。この端子用貫通孔１６には、リレー３０の底面３０Ａ（図５参照）から突出した出力端子３１及びコイル端子３２（図５参照）が貫通する。
【００２１】
リリースレバー１１は、通常、図２に示すように、リレー載置部１４の下方に設ける。これは、操作者がリレー３０を抜脱するさいに操作を容易に行うためである。
【００２２】
ケース１０の前面においてリレー載置部１４のさらに下方には、コイル端子３２用の結線用貫通部１７が左右２箇所に形成されている。結線用貫通部１７は、結線用貫通部１５とは逆に、下側の配線用貫通孔１７ａと上側の工具用貫通孔１７ｂとからなり、配線用貫通孔１７ａにはリレー３０のコイル端子３２に接続されるべき配線が貫通し、工具用貫通孔１７ｂにはクランプバネを操作する工具が貫通する。
【００２３】
図３は、本発明のターミナルソケットにかかるリリースレバーの一例を示す図である。リリースレバー１１は、図１に示すように、正面略Ｌ字形を有する成形体である。その角部近傍にはボス部１１ａが形成されており、このボス部１１ａがリレー載置部１４において側面側に突出した軸部１２に外嵌することにより、リリースレバー１１はリレー載置部１４において矢印Ｍ及びＮ（図１参照）方向に可動自在に支持されている。
【００２４】
リリースレバー１１において、左右の側部１１Ａ，１１Ａの内面には、内面下部の左右方向における中間部に突起部１１ｂが形成されている。突起部１１ｂは、リレー載置部１４に装着されたリレー３０を脱離する際に、リレー３０の底面３０Ａに接触するように構成されている。
【００２５】
リリースレバー１１において、左右の側部１１Ａ，１１Ａの間には、側部１１Ａ，１１Ａの上下方向中間位置に、当接部材１１ｃが形成されている。当接部材１１ｃは、リレー載置部１４に載置されたリレー３０の背面に当接している。また、側部１１Ａ，１１Ａの上部には、リリースレバー１１を回動操作するための操作部１１Ｂ（図３参照）が形成されている。
【００２６】
図４は、本発明のターミナルソケットにおけるリリースレバーの側部内面を示す図である。図４を参照して、突起部１１ｂの構造をさらに詳述する。突起部１１ｂには、リレー３０の抜脱時にリレー底面３０Ａに接してリレー３０を押し上げる第１押上げ部５０及び第２押上げ部５１が設けられている。第１押上げ部５０は、リレー底面３０Ａに線で接することが可能な半円弧状に形成されており、第２押上げ部５１は、リレー底面３０Ａに面で接することが可能なように、軸部１２から遠ざかる方向に下り勾配となる傾斜面とされている。そして、第２押上げ部５１の高さ位置は、第１押上げ部５０の高さ位置よりも低く配置されている。これにより、リレー３０の抜脱時に第１押上げ部５０によってリレー３０を押し上げ、次いで第２押上げ部５１によってリレー３０を押し上げる、２段階の押し上げが可能となり、リレー３０を容易に抜脱することが可能となる。また、１段階で押し上げる場合に比べて、わずかな力でリレー３０を抜脱することができる。
【００２７】
以下に、図５を用いて、リレーの抜脱の機構を説明する。図５は、リレーの抜脱の機構を説明する概念図である。図５において、（ａ）ないし（ｄ）は、上図がリレー３０とリレー載置部１４との関係を示す図であり、下図はリレー底面３０Ａと突起部１１ｂとの関係を示す拡大図である。
【００２８】
図１に示す状態では、リリースレバー１１は、閉じた状態にある。この状態においてはリレー載置部１４に載置されたリレー３０は、突起部１１ｂの第１押上げ部５０に接した状態にある（図５（ａ））。
【００２９】
リレー３０が突起部１１ｂの第１押上げ部５０に接した状態で、リリースレバー１１が軸部１２を中心にＭ方向に回動すると、突起部１１ｂの第１押上げ部５０がリレー底面３０Ａを押圧する。これによって、図５（ｂ）に示すように、リレー３０は回転しコイル端子３２がリレー載置部１４から引き出される。
【００３０】
さらに、リリースレバー１１が軸部１２を中心にＭ方向に回動すると、リレー３０は、さらに回転して、リレー載置部１４から引き出され、突起部１１ｂの第２押上げ部５１に接する（図５（ｃ））。
【００３１】
リレー３０が突起部１１ｂの第２押上げ部５１に接した状態で、リリースレバー１１が軸部１２を中心にＭ方向に回動すると、第２押上げ部５１がリレーの底面を押圧する。これによって、図５（ｄ）に示すように、出力端子３１がリレー載置部１４から引き出され、リレー３０はリレー載置部１４から完全に引き出される。このように２段階でリレー３０を押し上げることにより、抜脱されるリレー３０の移動方向を規制することなく、リレー３０をリレー載置部１４から完全に引き出すことができる。
【００３２】
（その他の事項）
図５に示す例では、コイル端子３２が設けられている側から出力端子３１が設けられている側に向かってリレー３０を抜脱するようにしたけれども、出力端子３１が設けられている側からコイル端子３２が設けられている側に向かって抜脱するようにしてもよい。ただし、通常コイル端子３２より出力端子３１のほうが、端子数が多いので、出力端子３１側のリレー底面３０Ａが、コイル端子３２側のリレー底面３０Ａより、より強固にソケット本体に載置されている。したがって、図５に示すようにリレー３０を抜脱すると、リレー３０の抜脱が円滑に行われるので、好ましい。
【００３３】
図４の例では、第１押上げ部５０及び第２押上げ部５１は単一の突起部１１ｂに形成されていたが、別個の突起部に第１押上げ部５０及び第２押上げ部５１を分離して形成してもよい。即ち、第１押上げ部５０と第２押上げ部５１とは別個に形成した構成であってもよい。
【００３４】
また、この図の例では、２つの押上げ部５０，５１で、２段階でリレー３０の抜脱を行ったけれども、３以上の押上げ部により多段階でリレー３０の抜脱を行うようにしてもよい。なお、この場合には、複数の押上げ部は、リレー３０がソケット本体に装着された状態において、軸部１２（リリースレバーの回動中心）から遠ざかるに従って、その高さ位置が順次低くなるように配置することが必要である。仮に、高さ位置が同じであれば、多段階で押し上げることができないからである。
【００３５】
さらに、この図の例では、第１押上げ部５０は線で、第２押上げ部５１は面で、それぞれリレー底面３０Ａに接するものが示されているが、リレー底面３０Ａに接することができるものであれば、この構成に限定されない。すなわち、第１押上げ部５０と第２押上げ部５１とが、ともに線または面でリレー底面３０Ａに接するものであっても、第１押上げ部５０は面で、第２押上げ部５１は線で、それぞれリレー底面３０Ａに接するものであってもよい。また、線や面でなく点で構成してもかまわない。なお、第２押上げ部５１の傾斜面の傾斜角度は、適宜調整すれば、リレー３０を斜め姿勢からまっすぐな姿勢により近づけて抜脱することが可能となる。
【００３６】
なお、図３の例では、リリースレバー１１において側部の間には、リレー載置部１４の前面に平行に、側部１１Ａ，１１Ａに設けた突起部１１ｂと一体的に形成された補強部材１１ｄが設けられている。これは、リリースレバー１１に強度を持たせるために設けたものである。したがって、補強部材１１ｄは、突起部１１ｂと一体的に形成される必要はなく、別個に形成されていてもよい。
【産業上の利用可能性】
【００３７】
本発明は、ソケット本体に装着されたリレーを、ソケット本体から抜脱するリリースレバーを備えたターミナルソケットに好適に実施することができる。
【図面の簡単な説明】
【００３８】
【図１】本発明にかかるターミナルソケットの要部の外観図である。
【図２】本発明のターミナルソケットを複数連結して使用する例を示す図である。
【図３】本発明のターミナルソケットにかかるリリースレバーの一例を示す図である。
【図４】本発明のターミナルソケットにおけるリリースレバーの側面の内壁を示す図である。
【図５】本発明のターミナルソケットにおけるリリースレバーがリレーを載置部から抜脱する機構を説明する図である。
【図６】従来のターミナルソケットのリリースレバーを説明するための図である。
【図７】他の従来のターミナルソケットのリリースレバーを説明するための図である。
【符号の説明】
【００３９】
１０    ケース
１１    リリースレバー
１２    軸部
１４    リレー載置部
１５    結線用貫通孔
１５ａ    配線用貫通孔
１５ｂ    工具用貫通孔
１６    端子用貫通孔
１７    コイル端子用の結線用貫通部
１８    支持レール
３０    リレー
３０Ａ    リレー底面
３１    出力端子
３２    コイル端子
５０    第１押上げ部
５１    第２押上げ部
１０１    リリースレバー
１０２    回動軸
１０３    円弧面
１０４    係止爪
１５０    壁部
２００    ケース
【図１】
2006156177.tif 000003
【図２】
2006156177.tif 000004
【図３】
2006156177.tif 000005
【図４】
2006156177.tif 000006
【図５】
2006156177.tif 000007
【図６】
2006156177.tif 000008
【図７】
2006156177.tif 000009